(57)【要約】  無線ネットワークのためのダイナミックな干渉管理に関する複数の方法および複数の装置が開示される。無線ネットワークにおけるノードは、第１と第２のノードの間のチャネルに関連する少なくとも１つのパラメータに基づいて、第１のノードが第２のノードに送信するための指定された時間期間の間に、複数の送信を止めるかどうかを決定するように構成される。
2011521554.tif 000002
【特許請求の範囲】
【請求項１】
下記を具備する無線通信のための装置：
第１と第２のノードの間のチャネルに関連した少なくとも１つのパラメータに基づいて、前記第１のノードが前記第２のノードに送信するための指定された時間期間の間に、複数の送信を止めるかどうかを決定するように構成される処理システム。
【請求項２】
請求項１に記載の装置、ここにおいて前記少なくとも１つのパラメータは、前記第１と第２のノードの間のチャネルの利得を具備する。
【請求項３】
請求項１に記載の装置、ここにおいて前記少なくとも１つのパラメータは、前記第２のノードにおける望ましい信号対雑音比を具備する。
【請求項４】
請求項１に記載の装置、ここにおいて前記処理システムは、前記装置と前記第２のノードの間のパス損失を計算し、そして複数の送信を止めるかどうかを決定することにおいて、前記計算されたパス損失を使用するように更に構成される。
【請求項５】
請求項４に記載の装置、ここにおいて前記処理システムは、前記第２のノードによって送信される少なくとも１つのパケット中に含まれるプリアンブルに基づいて前記パス損失を計算する。
【請求項６】
請求項１に記載の装置、ここにおいて前記処理システムは、前記第２のノードからのメトリックに基づいて、複数の送信を止めるかどうかを決定するように更に構成される、前記メトリックは、前記少なくとも１つのパラメータに基づいている。
【請求項７】
請求項６に記載の装置、ここにおいて前記処理システムは、前記メトリックを格納するように更に構成され、前記処理システムは、前記第１のノードが前記第２のノードに送信するための前記指定された時間期間を示している、前記第２のノードからのメッセージを受信し、そして前記メッセージに応じて、前記格納されたメトリックに基づいて複数の送信を止めるかどうかを決定するように更に構成される。
【請求項８】
請求項７に記載の装置、ここにおいて前記メッセージは、前記第１と第２のノードを識別し、そしてここにおいて前記プロセッサは、前記格納されたメトリックを検索するために前記第１と第２のノードの前記識別を使用する。
【請求項９】
請求項６に記載の装置、ここにおいて前記少なくとも１つのパラメータは、前記第１と第２のノードの間のチャネルの利得と、前記第２のノードにおける望ましい信号対雑音比を具備する、およびここにおいて前記メトリックは、前記望ましい信号対雑音比に対する前記チャネルの利得の比を具備する。
【請求項１０】
請求項９に記載の装置、ここにおいて前記処理システムは、前記装置と前記第２のノードの間のパス損失と前記メトリックに基づいて項を計算し、そして前記計算された項に基づいて複数の送信を止めるかどうかを決定するように更に構成される。
【請求項１１】
請求項１０に記載の装置、ここにおいて前記処理システムは、前記計算された項をしきい値と比較することによって複数の送信を止めるかどうかを決定するように更に構成される。
【請求項１２】
下記を具備する無線通信のための方法：
第１と第２のノードの間のチャネルに関連した少なくとも１つのパラメータに基づいて、前記第１のノードが前記第２のノードに送信するための指定された時間期間の間に、複数の送信を止めるかどうかを決定すること。
【請求項１３】
請求項１２に記載の方法、ここにおいて前記少なくとも１つのパラメータは、前記第１と第２のノードの間のチャネルの利得を具備する。
【請求項１４】
請求項１２に記載の方法、ここにおいて前記少なくとも１つのパラメータは、前記第２のノードにおける望ましい信号対雑音比を具備する。
【請求項１５】
前記方法と前記第２のノードの間のパス損失を計算すること更に具備している請求項１２に記載の方法、ここにおいて複数の送信を止めるかどうかを前記決定することは、前記計算されたパス損失に更に基づく。
【請求項１６】
請求項１５に記載の方法、ここにおいて前記パス損失は、前記第２のノードによって送信される少なくとも１つのパケット中に含まれたプリアンブルに基づいて計算される。
【請求項１７】
前記第２のノードからメトリックを受信することを更に具備している請求項１２に記載の方法、前記メトリックは、前記少なくとも１つのパラメータに基づいている、およびここにおいて前記メトリックは、前記メトリックに更に基づいて複数の送信を止めるかどうか決定するために使用される。
【請求項１８】
前記メトリックを格納することと、前記第１のノードが前記第２のノードに送信するための前記指定された時間期間を示している、前記第２のノードからのメッセージを受信することを更に具備している請求項１７に記載の方法、ここにおいて前記格納されたメトリックは、前記メッセージに応じて複数の送信を止めるかどうかを決定するために使用される。
【請求項１９】
請求項１８に記載の方法、ここにおいて前記メッセージは、前記第１と第２のノードを識別し、前記方法は、前記第１と第２のノードの前記識別を使用して前記格納されたメトリックを検索すること具備している。
【請求項２０】
請求項１７に記載の方法、ここにおいて前記少なくとも１つのパラメータは、前記第１と第２のノードの間のチャネルの利得と、前記第２のノードにおける望ましい信号対雑音比を具備する、およびここにおいて前記メトリックは、前記望ましい信号対雑音比に対する前記チャネルの利得の比を具備する。
【請求項２１】
前記第２のノードに対するパス損失および前記メトリックに基づいて項を計算することを更に具備している請求項２０に記載の方法、ここにおいて前記計算された項は、複数の送信を止めるかどうかを決定するために使用される。
【請求項２２】
前記計算された項をしきい値と比較することを更に具備している請求項２１に記載の方法、およびここにおいて前記計算された項と前記しきい値との間の前記比較は、複数の送信を止めるかどうかを決定するために使用される。
【請求項２３】
下記を具備する無線通信のための装置：
第１のノードが第２のノードに送信するための指定された時間期間を識別するための手段；および
前記第１と第２のノードの間のチャネルに関連した少なくとも１つのパラメータに基づいて、前記時間期間の間に複数の送信を止めるかどうかを決定するための手段。
【請求項２４】
請求項２３に記載の装置、ここにおいて前記少なくとも１つのパラメータは、前記第１と第２のノードの間のチャネルの利得を具備する。
【請求項２５】
請求項２３に記載の装置、ここにおいて前記少なくとも１つのパラメータは、前記第２のノードにおける望ましい信号対雑音比を具備する。
【請求項２６】
前記装置と前記第２のノードの間のパス損失を計算するための手段を更に具備している請求項２３に記載の装置、ここにおいて複数の送信を止めるかどうかを決定するための前記手段は、前記計算されたパス損失に更に基づいてその決定を行うように構成される。
【請求項２７】
請求項２６に記載の装置、ここにおいてパス損失を計算するための前記手段は、前記第２のノードによって送信される少なくとも１つのパケット中に含まれるプリアンブルに基づいて、そのようなパス損失を計算するように構成される
【請求項２８】
前記第２のノードからメトリックを受信するための手段を更に具備している請求項２３に記載の装置、前記メトリックは、前記少なくとも１つのパラメータに基づいている、およびここにおいて複数の送信を止めるかどうかを決定するための前記手段は、その決定を行うために前記メトリックを使用するように構成される。
【請求項２９】
前記メトリックを格納するための手段と、前記第１のノードが前記第２のノードに送信するための前記指定された時間期間を示している、前記第２のノードからのメッセージを受信するための手段を更に具備している請求項２８に記載の装置、ここにおいて複数の送信を止めるかどうかを決定するための前記手段は、前記メッセージに応じて、その決定を行うために、前記格納されたメトリックを使用するように構成される。
【請求項３０】
請求項２９に記載の装置、ここにおいて前記メッセージは、前記第１と第２のノードを識別し、前記装置は、前記第１と第２のノードの前記識別を使用して前記格納されたメトリックを検索するための手段を更に具備している。
【請求項３１】
請求項２８に記載の装置、ここにおいて前記少なくとも１つのパラメータは、前記第１と第２のノードの間のチャネルの利得と、前記第２のノードにおける望ましい信号対雑音比を具備する、およびここにおいて前記メトリックは、前記望ましい信号対雑音比に対する前記チャネルの利得の比を具備する。
【請求項３２】
前記装置と前記第２のノードの間のパス損失と前記メトリックに基づいて項を計算するための手段を更に具備している請求項３１に記載の装置、ここにおいて複数の送信を止めるかどうかを決定するための前記手段は、そのような決定を行うために前記計算された項を使用するように構成される。
【請求項３３】
前記計算された項をしきい値と比較するための手段を更に具備している請求項２１に記載の装置、およびここにおいて複数の送信を止めるかどうかを決定するための前記手段は、そのような決定を行うために、前記計算された項と前記しきい値との間の前記比較を使用するように構成される。
【請求項３４】
下記を具備する、通信のためのコンピュータプログラム製品：
機械可読媒体、前記媒体は下記を行うための処理システムによって実行可能である複数の命令を具備する：
第１と第２のノードの間のチャネルに関連した少なくとも１つのパラメータに基づいて、前記第１のノードが前記第２のノードに送信するための指定された時間期間の間に、複数の送信を止めるかどうかを決定すること。
【請求項３５】
下記を具備するアクセス端末：
第１と第２のノードの間のチャネルに関連した少なくとも１つのパラメータに基づいて、前記第１のノードが前記第２のノードに送信するための指定された時間期間の間に、複数の送信を止めるかどうかを決定するように構成される処理システム；および
前記処理システムによってサポートされるユーザインターフェース。
【請求項３６】
下記を具備するアクセスポイント：
アクセス端末に対するバックホールの接続をサポートするように構成される無線ネットワークのアダプタ；および
前記無線ネットワークのアダプタを制御するように構成される処理システム、前記処理システムは、第１と第２のノードの間のチャネルに関連した少なくとも１つのパラメータに基づいて、前記第１のノードが前記第２のノードに送信するための指定された時間期間の間に、複数の送信を止めるかどうかを決定するように更に構成されている。
【発明の詳細な説明】
【技術分野】
【０００１】
本開示は、一般に無線通信に関するものであり、そして限定はされないが、より明確には、無線ネットワークにおけるダイナミックな干渉管理に関するものである。
【背景技術】
【０００２】
最近、ＩＥＥＥ  ８０２．１１等のような無線ローカルエリアネットワーク（ＷＬＡＮ）の展開において、すさまじい成長があった。これらのネットワークが、より普及するようになり、そして互いにより近く近接して働き始めるにつれて、周波数の再利用は、効率的な媒体利用を保証するためにますます重要になるだろう。現在、周波数の再利用は、特により大きなパケットに関して、幾つかのＷＬＡＮにおいて厳しく制限される。何故なら、これらのＷＬＡＮにおける干渉を減らし、またパケットの複数の衝突を回避するためには、送信する／受信するノードのペアの近辺における全ノードは、送信する／受信するペアの間で伝送されているフレームの持続時間の間は、全ての送信を止めることが要求されるからである。しかしながら、そのようなネットワークにおいて十分な周波数の再利用を許可することは、システム中の幾つかのノードに関しては、増加した機能停止と、非常に低い処理能力という結果になる。従って、機能停止および低い処理能力のような影響を緩和している間に周波数の再利用の複数の利得を合わせるような、ＷＬＡＮにおけるダイナミックな干渉管理の必要性がある。
【発明の概要】
【０００３】
該開示の１つの態様では、無線通信のための装置は、第１と第２のノードの間のチャネルに関連した少なくとも１つのパラメータに基づいて、第１のノードが第２のノードに送信するための指定された時間期間の間に、複数の送信を止めるかどうかを決定するように構成される処理システムを含む。
【０００４】
該開示の別の態様では、無線通信のための方法は、第１と第２のノードの間のチャネルに関連した少なくとも１つのパラメータに基づいて、第１のノードが第２のノードに送信するための指定された時間期間の間に、複数の送信を止めるかどうかを決定することを含む。
【０００５】
該開示の更なる態様では、無線通信のための装置は、第１のノードが第２のノードに送信するための指定された時間期間を識別するための手段と、第１と第２のノードの間のチャネルに関連した少なくとも１つのパラメータに基づいて時間期間の間に複数の送信を止めるかどうかを決定するための手段を含む。
【０００６】
該開示のなお更なる態様では、通信のためのコンピュータプログラム製品は、第１と第２のノードの間のチャネルに関連した少なくとも１つのパラメータに基づいて、第１のノードが第２のノードに送信するための指定された時間期間の間に、複数の送信を止めるかどうかを決定するための処理システムによって実行可能である複数の命令を具備する機械可読媒体を含む。
【０００７】
該開示の別の態様では、無線通信のためのアクセス端末は、第１と第２のノードの間のチャネルに関連した少なくとも１つのパラメータに基づいて、第１のノードが第２のノードに送信するための指定された時間期間の間に、複数の送信を止めるかどうかを決定するように構成される処理システムと、処理システムによってサポートされるユーザインターフェースとを含む。
【０００８】
該開示のなお別の態様では、無線通信のためのアクセスポイントは、アクセス端末に対するバックホールの接続をサポートするように構成される無線ネットワークのアダプタと、無線ネットワークのアダプタを制御するように構成される処理システムを含み、この処理システムは、第１と第２のノードの間のチャネルに関連した少なくとも１つのパラメータに基づいて、第１のノードが第２のノードに送信するための指定された時間期間の間に、複数の送信を止めるかどうかを決定するように更に構成されている。
【図面の簡単な説明】
【０００９】
無線通信の様々な態様は、添付されている複数の図面において、限定としてではなく、例として例示され、ここでは同じ参照番号は、明細書と複数の図面の全体にわたって同じ特徴を示すために使用されることができ、ここにおいて：
【図１】図１は、無線ネットワークの例を例示している概念的なブロック図；
【図２】図２は、無線ネットワークの簡略化された例を例示している概念的なブロック図；
【図３】図３は、ノードの機能の例を例示しているブロック図；および
【図４】図４は、ノードに関する処理システムの機能の例を例示しているブロック図。
【００１０】
一般的な慣習に従って、複数の図面中に例示される様々な特徴は、ネットワークと、ネットワークに関連したエンティティの様々な態様の記述として意図され、そして特許請求の範囲内のみの態様を表わすようには意図されない。複数の図面は、ネットワークおよびネットワークに関連したエンティティについて十分な理解を提供する目的のために複数の特定の詳細を含むことができる。しかしながら、記述されたネットワークおよびネットワークに関連したエンティティの様々な態様は、これらの特定の詳細なしでインプリメント（implemented）されることができる。幾つかの実例では、よく知られた複数の構造および複数のコンポーネントが、この開示の全体にわたって記述される様々な概念が不明瞭になることを避けるために、ブロック図の形式で示される。
【発明を実施するための形態】
【００１１】
１つまたは複数の方法および装置の様々な態様が、下に記述される。ここにおける複数の教示は、広く様々な形式で具体化されることができ、そしてここに開示される何れの特定の構造、機能、または両方は、単に代表的であるにすぎないことが明白である。ここにおける複数の教示に基づいて、当業者は、ここに開示される態様が何れの他の態様から独立してインプリメントされることができ、そして２つまたはそれ以上のこれらの態様は、様々な仕方において組み合わされることができることを評価するであろう。例えば、ここに記載される何れの数の態様を使用して、方法は実施されることができ、あるいは装置はインプリメントされることができる。更に、ここに記載される１つまたは複数の態様に加えて、または別としての、他の構造、機能、または構造と機能を使用して、そのような方法は実施されることができ、あるいはそのような装置はインプリメントされることができる。この開示の全体にわたって記述される何れの装置または方法の態様は、何れの請求項の単一の要素および／または、１つまたは複数の請求項における複数の要素の何れの組み合わせを含むことができる。
【００１２】
次の詳細な説明では、１または複数の方法および装置の様々な態様は、ＩＥＥＥ  ８０２．１１  ＷＬＡＮの文脈において記述されることができる。しかしながら、当業者が容易に理解するとともに、この開示の全体にわたって示される様々な態様は、広範囲（broad array）のネットワークおよび通信プロトコルにまで広げられることができる。従って、ＩＥＥＥ  ８０２．１１  ＷＬＡＮに対する何れの参照も、単にネットワークの様々な態様を、そのような態様には広範囲の適用があるという理解をもって例示するように意図される。
【００１３】
図１は、無線通信ネットワーク１００の例を例示している概念的なブロック図である。無線ネットワーク１００は、ＩＥＥＥ  ８０２．１１ネットワークのようなＷＬＡＮ、あるいは何れの他の適切なネットワークであることができる。無線ネットワーク１００は、幾つかのノード１０２で表わされ、それらは、ネットワーク１００の特定の構成に依存して移動可能および／または固定であることができる。ノード１０２は、携帯電話、携帯情報端末（ＰＤＡ）、ラップトップコンピュータ、デジタルオーディオプレーヤー、ゲーム機、デジタルカメラ、デジタルカムコーダー、マルチメディアデバイス、あるいはネットワーク１００における無線接続をサポートすることが可能な何れの他の適切なデバイスとして構成されることができる。これらのノード１０２は、この開示の全体にわたってアクセス端末と称されることができ、また当業者によっては、ハンドセット、無線通信デバイス、ユーザ端末、ユーザ機器、移動局、モバイル装置、加入者ユニット、加入者ステーション、モバイル無線、無線電話、無線局、無線デバイスあるいは何か他の用語で称されることができる。この開示の全体にわたって記述される様々な概念は、それらの特定の名称にかかわらず、全てのアクセス端末へ適用するように意図される。
【００１４】
無線ネットワーク１００はまた、幾つかのインフラストラクチャノード（infrastructure nodes）１０４を含むことができ、それらは固定−位置（fixed-site）のトランシーバ局として表わされるが、他の構成においてはモバイルノードとしてインプリメントされることができる。これらのノード１０４は、この開示の全体にわたって複数のアクセスポイントと称されることができるが、当業者によっては複数の、ノードＢ、ラジオ放送網制御装置（ＲＮＣｓ）、発展型ノードＢ（eNodeBs）、基地局制御装置（ＢＳＣｓ）、無線基地局装置（ＢＴＳｓ）、基地局（ＢＳｓ）、トランシーバファンクション（transceiver functions）（ＴＦｓ）、ラジオルータ、無線トランシーバ、基本サービスセット（ＢＳＳｓ）、拡張サービスセット（ＥＳＳｓ）、無線基地局（ＲＢＳｓ）あるいは何か他の適切な用語として称されることができる。複数のアクセス端末と関連して上記で始められるように、この開示の全体にわたって記述される様々な概念は、それらの特定の名称にかかわらず全てのアクセスポイントへ適用するように意図される。
【００１５】
アクセス端末１０２は、直接にあるいは１つまたは複数の中間ノードを経由して、アクセスポイント１０４またはネットワーク１００における何れの他のアクセス端末１０２へ接続することができる。中間ノードは、アクセス端末１０２、アクセスポイント１０４あるいは何か他のネットワークに関連したエンティティであることができる。無線トポロジーは、複数のアクセス端末１０２がカバレッジ範囲の全体にわたって移動し、そしてアクセスポイン上でのローディングが変化するように、接続を維持するためにダイナミックに再構成可能であることができる。ネットワーク１００の１つの構成では、複数のアクセスポイント１０４は、ネットワーク利用するＷｉ−Ｍａｘ、ＥＶ−ＤＯ（Evolution-Data Optimized）、ウルトラ・モバイル・ブロードバンド（ＵＭＢ）、または他の適切な無線規格における場合のように、無線ワイドエリアネットワーク（ＷＷＡＮ）の全体にわたって分布されることができる。ネットワーク１００の別の構成では、複数のアクセスポイント１０４は、ホーム、オフィスビル、空港、ホテル、コーヒーショップあるいは他の適切な私用または公用の場におけるＷＬＡＮの全体にわたって分布されることができる。
【００１６】
該ネットワーク１００の地理的な適用範囲は、インターネットまたは同等のもののようなワイドエリアネットワーク（ＷＡＮ）１０６を通じて、広げられることができる。この例では、何れの数のアクセスポイント１０４、また場合によっては複数のアクセス端末１０２は、他のアクセス端末のためのＷＡＮ  １０６に対して無線バックホールを提供するために組み合されることができる。単一のアクセスポイント１０４Ａは、図１に示されるような有線接続を介してＷＡＮ  １０６にアクセスポイントを供給することができ、またあるいは、何れの数のアクセスポイント１０４は、ＷＡＮ  １０６に対する有線または無線の接続を有することができる。
【００１７】
図２に関連して、ダイナミックな干渉管理のための方法の例が示される。説明の容易さのために、図２は、図１の無線ネットワーク１００に類似したネットワークの簡略化されたバージョンを示し、そこにおいてノードＴｊ、Ｒｊ、およびｋ（ｋ１−ｋ３）は、図１においてノード１０２および１０４として指定される無線ノードのうちの何れを表わすことができる。図２に示される例では、「Ｔｊ」として指定されるノードは、送信するノードであり、そして「Ｒｊ」として指定されるノードは、送信するノードＴｊからのシグナルを受信するノードである。しかしながら、送信するおよび受信するノードの両方は、送信するおよび受信する機能の両方を行うことが可能であり得る。複数のノードの近接のような様々な要因に依存して、ノードｋのうちの何れによる送信は、受信するノードＲｊにおける受信と潜在的に干渉することができる。
【００１８】
受信するノードＲｊに対してデータを送信する前に、送信するノードＴｊは、特定の時間においてデータを送信することを要求するメッセージを、受信するノードＲｊに対して伝送することによって媒体（チャネル）をリザーブする。受信するノードＲｊが、その時間における送信を受け入れることができる場合は、受信するノードＲｊは、許可メッセージを用いて送信のリクエストに応じることができ、送信するノードＴｊにデータを送信することを許可している。受信するノードＲｊが送信するノードＴｊに許可メッセージを送信するときには、近くのノードｋ１−ｋ３もまた許可メッセージを「聞く（hear）」（検出する）。近くのノードｋ１−ｋ３が許可メッセージを検出したときは、それらは各々に、送信するノードＴｊが受信するノードＲｊにデータを送信している間にサイレント状態に留まるかどうかについて決定を行うことができる。ノードｋ１−ｋ３は、下に記述されるように、受信するノードＲｊにおける受信に対して干渉するそれらの可能性に基づいて、そのような決定を行うことができる。
【００１９】
この例では、各ノードｋは、送信するおよび受信するノードＴｊ，Ｒｊの間の送信とノードｋが干渉しない可能性を表わす項ｑｋｊに基づいて、送信するノードＴｊから受信するノードＲｊへの送信の間に、サイレント状態に留まる（すなわち、複数の送信を止める）かどうかを決定するように構成されることができる。項ｑｋｊは、（１）送信するおよび受信するノードＴｊ，Ｒｊの間の１つまたは複数のチャネルパラメータに関連するメトリック（metric）、および（２）ノードｋと受信するノードＲｊの間のパス損失、から計算されることができる。複数のチャネルパラメータは、例として、送信するおよび受信するノードＴｊ，Ｒｊの間のチャネルの利得と、受信するノードＲｊにおける望ましい信号対雑音比（ＳＮＲ）を含むことができる。例として、送信するおよび受信するノードＴｊ，Ｒｊの間のチャネルの利得が高く、受信するノードＲｊにおける望ましいＳＮＲが低く、そしてノードｋと受信するノードＲｊの間のパス損失が高い場合には、その時は、ノードｋによる送信が、送信するおよび受信するノードＴｊ，Ｒｊの間の送信に対して干渉する可能性は低い。反対に、送信するおよび受信するノードＴｊ，Ｒｊの間のチャネルの利得が低く、受信するノードＲｊの望ましいＳＮＲが高く、そしてノードｋと受信するノードＲｊの間のパス損失が低い場合には、その時は、ノードｋによる送信が、送信するおよび受信するノードＴｊ，Ｒｊの間の送信に対して干渉する可能性は高い。
【００２０】
項ｑｋｊを決定するための式の例は、下記の方程式１および２に関して次に記述される。下記の複数の方程式では、γは、受信するノードＲｊにおける望ましいＳＮＲを表わす；ｈｊｊは、送信するおよび受信するノードＴｊ，Ｒｊの間のチャネルの利得を表わす；ｈｋｊは、ノードｋと受信するノードＲｊの間のパス損失を表わす。これらの項を使用して、送信するおよび受信するノードＴｊ，Ｒｊの間のシグナルパワーは、（ｈｊｊ）（γ）によって表わされることができ、また、受信するノードＲｊにおける全干渉は、（ｈｋｊ）（ｑｋｊ）によって表わされることができる。受信するノードＲｊにおける干渉を緩和するためには、シグナルパワーが、受信するノードＲｊにおける全干渉よりも大きいことが望まれる。従って、全てのｋについては、次（方程式１）が望ましいとされる：
【数１】
2011521554.tif 000003
【００２１】
方程式１から、次（方程式２）のようにして、ｑｋｊのための以下の式が得られる：
【数２】
2011521554.tif 000004
【００２２】
ここでは、ｆは、対数関数のような、単調増加関数であり、そしてｇ（）は、受信するノードＲｊの近隣に依存することができる関数である。この例において、ｑｋｊ＝０の場合には、データが、送信するノードＴｊから受信するノードＲｊへ送信されている間は、ノードｋはサイレント状態である。反対に、ｑｋｊ＝１の場合には、データが、送信するノードＴｊから受信するノードＲｊへ送信されている間に、ノードｋは送信することができる。ｑｋｊが、０と１の間にある場合は、しきい値は、ノードｋがサイレント状態であるべきかどうかを決定するために使用されることができる。例として、ノードｋは、ｑｋｊ＜０．５の場合にはサイレント状態であることができ、そしてｑｋｊ＞０．５の場合には送信することができる。何れのノードｋのために使用される正確な式および／またはしきい値は、オーバーオールなシステムに課されたオーバーオールな設計の複数の制約および特定のアプリケーションに依存して、変化することができる。
【００２３】
ノードｋは、受信するノードＲｊから受信したパケット中に含まれるプリアンブルに基づいて、それ自身と受信するノードＲｊの間のパス損失ｈｋｊを計算することができる。例として、受信するノードＲｊからのパケットが、一定の送信するパワーで送信される場合には、ノードｋは、該パワーを測定し、そして測定されたパワーから、ノードｋと受信するノードＲｊの間の利得、またはパス損失、を計算することができる。
【００２４】
送信するおよび受信するノードＴｊ，Ｒｊの間の１つまたは複数のチャネルパラメータに関連するメトリックは、受信するノードＲｊによってノードｋに提供されることができる。あるいは、１つまたは複数のチャネルパラメータは、受信するノードＲｊによってノードｋに提供されることができる。前に記述されたように、複数のチャネルパラメータは、送信するおよび受信するノードＴｊ，Ｒｊの間のチャネルの利得ｈｊｊと、受信するノードＲｊにおける望ましいＳＮＲγを含むことができる。メトリック、または複数のチャネルパラメータは、受信するノードＲｊによって送信するノードＴｊへ伝送される許可メッセージ中に含まれることができる。あるいは、該メトリック、または複数のチャネルパラメータは、共通のチャネル上での個別のブロードキャストの中、専用のオーバーヘッドチャネル上でのノードｋへの送信、または何れの適切な手段によって伝送されることができる。
【００２５】
幾つかの構成では、ノードｋが、送信するおよび受信するノードのペアＴｊ，Ｒｊの間のメトリックあるいは１つまたは複数のチャネルパラメータを受信するときは、ノードｋは、将来の使用のためにメモリ中に、メトリックまたは（複数の）チャネルパラメータを格納することができる。受信されたメトリックまたは（複数の）チャネルパラメータは、許可メッセージまたは他のブロードキャストの中で、送信するおよび受信するノードのペアＴｊ，Ｒｊについての他の複数の識別子（identifiers）、またはソースと宛先アドレスに従って保存されることができる。参照用テーブルは、ノードｋによりその近接における全ての送信するおよび受信するノードの複数のペアＴｊ，Ｒｊに関するメトリックまたは（複数の）チャネルパラメータを用いて、構成されることができる。このように、ノードｋは、送信するノードＴｊからの送信の時間を示す、受信するノードＲｊからのブロードキャストを単に受信しさえすればよい。ノードｋもまた、同じ時間において送信することがスケジュールされる場合には、それは、送信するおよび受信するノードのペアＴｊ，Ｒｊに関するメトリックまたは（複数の）チャネルパラメータを検索するためにメモリに素早くアクセスし、そして項ｑｋｊを計算することができる。計算された項に基づいて、ノードｋは、そのスケジュールされた時間の間に送信するかどうかを決定することができる。
【００２６】
送信するか否かを決定するために用いられるアルゴリズムは、アプリケーションに特化し、そして多くの他の複数の要因に依存することができる。例として、ノードｋは、各々の送信するおよび受信するノードのペアＴｊ，Ｒｊについて計算される項ｑｋｊが、しきい値（例えば、０．５）より上である、または送信するおよび受信するノードの複数のペアＴｊ，Ｒｊのあるマジョリティ（majority）に関して計算される項ｑｋｊが、しきい値より上である場合にのみ、送信するように構成されることができる。しきい値は、固定されるか、あるいはダイナミックに再構成可能であることができる。しきい値は、各々の送信するおよび受信するノードのペアＴｊ，Ｒｊに対して同じである、または異なることができる。後者の例として、ノードｋは、各々の高い優先度の送信するおよび受信するノードのペアＴｊ，Ｒｊに関する項ｑｋｊが１であり、そして各々の低い優先度の送信するおよび受信するノードのペアＴｊ，Ｒｊに関する項ｑｋｊが、０．５より上である場合にのみ送信するように構成されることができる。高い優先度の送信するおよび受信するノードのペアＴｊ，Ｒｊは、電話通信を含むことができるのに対して、低い優先度の送信するおよび受信するノードのペアＴｊ，Ｒｊは、テキストのメッセージ通信を含むことができる。当業者は、無線ネットワークにおける各ノードｋに関する送信基準を、容易に決定することができるであろう。
【００２７】
図３は、ノードの機能の例を例証しているブロック図である。ノード３００の次の記述は、性質において有益であり、そして各ブロックの機能を広く定義する。ここに開示される様々な概念に直接関係のある機能だけが、記述される。当業者は、これらの機能ブロックが、ここに記述されていない他の機能を提供することができることを理解するであろう。この例において、ノード３００は、少なくとも２つの機能ブロックを含む：無線インターフェース３０２および処理システム３０４。
【００２８】
無線インターフェース３０２は、送信するおよび受信する機能の両方を提供するトランシーバとして構成されることができる。送信する機能は、データを用いてキャリアを変調することを含む。受信する機能は、データを回復するためにキャリアを復調することを含む。無線インターフェース３０２はまた、ＲＦフロントエンド処理、アナログ／デジタル変換、タイミングおよび周波数の推定、チャネルの推定、ターボコーディング（turbo coding）等の様々な機能を提供することができる。要約すると、無線インターフェース３０２は、ノード３００の完全な物理層のインプリメンテーションを提供するように構成されることができる。
【００２９】
処理システム３０４は、単独で、あるいはノード３００における他の複数のエンティティと組み合わせで、物理層の上の全ての機能をインプリメントするように構成されることができる。あるいは、処理システム３０４はまた、物理層の全て、または一部をインプリメントすることができる。最も一般的な言い方では、処理システム３０４は、複数の通信をサポートするために、無線インターフェース３０２の送信するおよび受信する複数の機能を使用するように構成される。更に、処理システム３０４は、ネットワークにおける１つまたは複数の送信するノードが１つまたは複数の対応する受信するノードへ送信しているときの時間期間の間に、複数の送信を止めるかどうかを決定するように構成されることができる。
【００３０】
ノード３００は、アクセス端末、アクセスポイント、中継ポイント、またはそれらの何れの組み合わせとして機能することができる。アクセス端末として機能するノード３００は、ユーザインターフェース３０６を含むことができる。ユーザインターフェース３０６は、ディスプレイ、キーパッド、スピーカー、マイクロホンおよび／または、ユーザがアクセス端末を操作することを可能にする何れの他の適切なインターフェースを含むことができる。ユーザインターフェース３０６は、無線インターフェース３０２によって維持される無線アップリンクの接続上で、処理システム３０４によって送信されるおよび受信されるデータを制御するために使用される。
【００３１】
アクセスポイントとして機能するノード３００は、複数のアクセス端末および／または複数の中継ポイントとの複数の無線ダウンリンクの接続の何れの適切な数を維持することと、同様に、バックホールをサポートするための１つまたは複数のアップリンクの接続を維持することができる無線インターフェース３０２を含む。アップリンクの接続は、有線または無線であることができる。例として、アクセスポイントは、中継ポイントに対する無線アップリンクの接続と別のネットワークに対する有線アップリンクの接続（例えば、インターネット）をサポートすることができる。
【００３２】
処理システム３０４は、ソフトウェア、ハードウェアあるいは両方の組み合わせを使用してインプリメントされることができる。例として、処理システムは、１つまたは複数の集積回路（ＩＣ）を用いてインプリメントされることができる。ＩＣは、一般目的のプロセッサ、デジタルシグナルプロセッサ（ＤＳＰ）、特定用途向け集積回路（ＡＳＩＣ）、フィールドプログラマブル（programmable）ゲートアレー（ＦＰＧＡ）あるいは他のプログラマブル論理デバイス、個別のゲートまたはトランジスタロジック、個別のハードウェアコンポーネント、電気コンポーネント、光学コンポーネント、機構コンポーネント、あるいはここに記述された複数の機能を行うために設計されたそれらの何れの組み合わせを具備することができ、またＩＣの内部、ＩＣの外部、または両方に常駐している複数のコードまたは複数の命令を実行することができる。一般目的のプロセッサは、マイクロプロセッサであることができるが、その代わりにおいて、該一般目的のプロセッサは、何れの従来型のプロセッサ、制御装置、マイクロコントローラーまたはステートマシン（state machine）であることができる。処理システムはまた、例えば、ＤＳＰとマイクロプロセッサの組み合わせ、複数のマイクロプロセッサ、ＤＳＰのコアと結合している１つまたは複数のマイクロプロセッサ、あるいは他の同様な構成等の、コンピューティングデバイスの組み合わせとしてインプリメントされることができる。
【００３３】
コードまたは複数の命令は、複数のソフトウェアアプリケーションをサポートするための１つまたは複数の機械可読媒体中に組み入れられることができる。ソフトウェアは、ソフトウェア、ファームウェア、ミドルウェア、マイクロコード、ハードウェア記述言語、または別な方法で称されようとなかろうと、複数の命令、複数のプログラム、コード、または何れの他の電子メディアのコンテンツを意味するように広く解釈されることができる。機械可読媒体は、ＡＳＩＣの場合がそうであるように、プロセッサに統合された記憶装置を含むことができる。機械可読媒体はまた、ランダムアクセスメモリ（ＲＡＭ）、フラッシュメモリ、読み出し専用メモリ（ＲＯＭ）、プログラマブルＲＯＭ（ＰＲＯＭ）、消去可能ＰＲＯＭ（ＥＰＲＯＭ）、複数のレジスタ、ハードディスク、リムーバブルディスク、ＣＤ−ＲＯＭ、ＤＶＤ、あるいは何れの他の適切な記憶装置のような、プロセッサの外部の記憶装置を含むことができる。更に、機械可読媒体は、データ信号を符号化するキャリア波または伝送路を含むことができる。当業者は、処理システムに関して記述された機能を、どのようにして最良にインプリメントするかを認識するであろう。更に、幾つかの態様では、何れの適切なコンピュータプログラム製品も、本開示の１つまたは複数の態様に関連する複数のコードを具備している機械可読媒体またはコンピュータ可読媒体を具備することができる。幾つかの態様では、コンピュータプログラム製品は、複数のパッケージングマテリアル（packaging materials）を含むことができる。
【００３４】
図４は、処理システム３０４の機能の例を例示するブロック図である。この例では、処理システム３０４は、第１のノードが第２のノードに送信するための指定された時間期間を識別するためのモジュール４０２と、第１と第２のノードの間のチャネルに関連した少なくとも１つのパラメータに基づいて、該時間期間の間に、複数の送信を止めるかどうかを決定するためのモジュール４０４を含む。
【００３５】
前の記述は、何れの当業者がここに記述された様々な態様を実施することを可能にするために提供される。これらの態様への様々な変更（modification）は、当業者にとって容易に（readily）明白であることができ、そしてここに定義された一般的な（generic）複数の法則は、他の複数の態様へ応用されることができる。従って、当該特許請求の範囲は、ここに示される複数の態様に制限されるようには意図されず、特許請求の範囲の言語（language claims）の最も広い範囲を与えられることになり、ここにおいて単数形の構成要素を参照することは、具体的に言及されない限り、「１つおよび唯一」ではなく、「１つまたは複数」を意味することを意図するものである。特に明記されない限り、用語「幾つか」は１つまたは複数を指す。当業者に知られているか、または後に知られるようになる、本開示全体を通じて説明される様々な態様の構成要素に対する構造上および機能上の複数の同等物は、参照によってここに明示的に組み込まれ、また特許請求の範囲によって包含されるように意図される。更に、特許請求の範囲において明らかに列挙されるか否かにかかわらず、ここに開示される内容を公共のものとして提供することは意図されない。その構成要素が、「〜のための手段」という言い回しを用いて明らかに列挙されない限り、または方法クレームに関する場合には、その構成要素が、「〜のためのステップ」という言い回しを用いて列挙されない限り、請求項の構成要素は、米国特許法第１１２条第６項の規定するところに従って解釈されるべきではない。
【図１】
2011521554.tif 000005
【図２】
2011521554.tif 000006
【図３】
2011521554.tif 000007
【図４】
2011521554.tif 000008
【手続補正書】
【提出日】平成23年1月19日(2011.1.19)
【手続補正１】
【補正対象書類名】特許請求の範囲
【補正対象項目名】全文
【補正方法】変更
【補正の内容】
【特許請求の範囲】
【請求項１】
下記を具備する無線通信のための装置：
前記装置において受信された少なくとも１つのパラメータに基づいて、第１のノードが第２のノードに送信するための指定された時間期間の間に、複数の送信を止めるかどうかを決定するように構成される処理システム、ここにおいて前記少なくとも１つのパラメータは、前記第１と第２のノードの間のチャネルに関連したチャネルパラメータである、および更にここにおいて前記装置は、前記第１または第２のノードではない。
【請求項２】
請求項１に記載の装置、ここにおいて前記少なくとも１つのパラメータは、前記第１と第２のノードの間のチャネルの利得を具備する。
【請求項３】
請求項１に記載の装置、ここにおいて前記少なくとも１つのパラメータは、前記第２のノードにおける望ましい信号対雑音比を具備する。
【請求項４】
請求項１に記載の装置、ここにおいて前記処理システムは、前記装置と前記第２のノードの間のパス損失を計算し、そして複数の送信を止めるかどうかを決定することにおいて、前記計算されたパス損失を使用するように更に構成される。
【請求項５】
請求項４に記載の装置、ここにおいて前記処理システムは、前記第２のノードによって送信される少なくとも１つのパケット中に含まれるプリアンブルに基づいて前記パス損失を計算する。
【請求項６】
請求項１に記載の装置、ここにおいて前記処理システムは、前記第２のノードからのメトリックに基づいて、複数の送信を止めるかどうかを決定するように更に構成される、前記メトリックは、前記少なくとも１つのパラメータに基づいている。
【請求項７】
請求項６に記載の装置、ここにおいて前記処理システムは、前記メトリックを格納するように更に構成され、前記処理システムは、前記第１のノードが前記第２のノードに送信するための前記指定された時間期間を示している、前記第２のノードからのメッセージを受信し、そして前記メッセージに応じて、前記格納されたメトリックに基づいて複数の送信を止めるかどうかを決定するように更に構成される。
【請求項８】
請求項７に記載の装置、ここにおいて前記メッセージは、前記第１と第２のノードを識別し、そしてここにおいて前記処理システムは、前記格納されたメトリックを検索するために前記第１と第２のノードの前記識別を使用する。
【請求項９】
請求項６に記載の装置、ここにおいて前記少なくとも１つのパラメータは、前記第１と第２のノードの間のチャネルの利得と、前記第２のノードにおける望ましい信号対雑音比を具備する、およびここにおいて前記メトリックは、前記望ましい信号対雑音比に対する前記チャネルの利得の比を具備する。
【請求項１０】
請求項９に記載の装置、ここにおいて前記処理システムは、前記装置と前記第２のノードの間のパス損失と前記メトリックに基づいて項を計算し、そして前記計算された項に基づいて複数の送信を止めるかどうかを決定するように更に構成される。
【請求項１１】
請求項１０に記載の装置、ここにおいて前記処理システムは、前記計算された項をしきい値と比較することによって複数の送信を止めるかどうかを決定するように更に構成される。
【請求項１２】
下記を具備する無線通信のための方法：
装置において受信された少なくとも１つのパラメータに基づいて、第１のノードが第２のノードに送信するための指定された時間期間の間に、複数の送信を止めるかどうかを前記装置において決定すること、ここにおいて前記少なくとも１つのパラメータは、前記第１と第２のノードの間のチャネルに関連したチャネルパラメータである、および更にここにおいて前記装置は、前記第１または第２のノードではない。
【請求項１３】
請求項１２に記載の方法、ここにおいて前記少なくとも１つのパラメータは、前記第１と第２のノードの間のチャネルの利得を具備する。
【請求項１４】
請求項１２に記載の方法、ここにおいて前記少なくとも１つのパラメータは、前記第２のノードにおける望ましい信号対雑音比を具備する。
【請求項１５】
前記方法と前記第２のノードの間のパス損失を計算すること更に具備している請求項１２に記載の方法、ここにおいて複数の送信を止めるかどうかを前記決定することは、前記計算されたパス損失に更に基づく。
【請求項１６】
請求項１５に記載の方法、ここにおいて前記パス損失は、前記第２のノードによって送信される少なくとも１つのパケット中に含まれたプリアンブルに基づいて計算される。
【請求項１７】
前記第２のノードからメトリックを受信することを更に具備している請求項１２に記載の方法、前記メトリックは、前記少なくとも１つのパラメータに基づいている、およびここにおいて前記メトリックは、前記メトリックに更に基づいて複数の送信を止めるかどうか決定するために使用される。
【請求項１８】
前記メトリックを格納することと、前記第１のノードが前記第２のノードに送信するための前記指定された時間期間を示している、前記第２のノードからのメッセージを受信することを更に具備している請求項１７に記載の方法、ここにおいて前記格納されたメトリックは、前記メッセージに応じて複数の送信を止めるかどうかを決定するために使用される。
【請求項１９】
請求項１８に記載の方法、ここにおいて前記メッセージは、前記第１と第２のノードを識別し、前記方法は、前記第１と第２のノードの前記識別を使用して前記格納されたメトリックを検索すること具備している。
【請求項２０】
請求項１７に記載の方法、ここにおいて前記少なくとも１つのパラメータは、前記第１と第２のノードの間のチャネルの利得と、前記第２のノードにおける望ましい信号対雑音比を具備する、およびここにおいて前記メトリックは、前記望ましい信号対雑音比に対する前記チャネルの利得の比を具備する。
【請求項２１】
前記第２のノードに対するパス損失および前記メトリックに基づいて項を計算することを更に具備している請求項２０に記載の方法、ここにおいて前記計算された項は、複数の送信を止めるかどうかを決定するために使用される。
【請求項２２】
前記計算された項をしきい値と比較することを更に具備している請求項２１に記載の方法、およびここにおいて前記計算された項と前記しきい値との間の前記比較は、複数の送信を止めるかどうかを決定するために使用される。
【請求項２３】
下記を具備する無線通信のための装置：
第１のノードが第２のノードに送信するための指定された時間期間を識別するための手段；および
前記装置において受信された少なくとも１つのパラメータに基づいて、前記時間期間の間に複数の送信を止めるかどうかを決定するための手段、ここにおいて前記少なくとも１つのパラメータは、前記第１と第２のノードの間のチャネルに関連したチャネルパラメータである、および更にここにおいて前記装置は、前記第１または第２のノードではない。
【請求項２４】
請求項２３に記載の装置、ここにおいて前記少なくとも１つのパラメータは、前記第１と第２のノードの間のチャネルの利得を具備する。
【請求項２５】
請求項２３に記載の装置、ここにおいて前記少なくとも１つのパラメータは、前記第２のノードにおける望ましい信号対雑音比を具備する。
【請求項２６】
前記装置と前記第２のノードの間のパス損失を計算するための手段を更に具備している請求項２３に記載の装置、ここにおいて複数の送信を止めるかどうかを決定するための前記手段は、前記計算されたパス損失に更に基づいてその決定を行うように構成される。
【請求項２７】
請求項２６に記載の装置、ここにおいてパス損失を計算するための前記手段は、前記第２のノードによって送信される少なくとも１つのパケット中に含まれるプリアンブルに基づいて、そのようなパス損失を計算するように構成される
【請求項２８】
前記第２のノードからメトリックを受信するための手段を更に具備している請求項２３に記載の装置、前記メトリックは、前記少なくとも１つのパラメータに基づいている、およびここにおいて複数の送信を止めるかどうかを決定するための前記手段は、その決定を行うために前記メトリックを使用するように構成される。
【請求項２９】
前記メトリックを格納するための手段と、前記第１のノードが前記第２のノードに送信するための前記指定された時間期間を示している、前記第２のノードからのメッセージを受信するための手段を更に具備している請求項２８に記載の装置、ここにおいて複数の送信を止めるかどうかを決定するための前記手段は、前記メッセージに応じて、その決定を行うために、前記格納されたメトリックを使用するように構成される。
【請求項３０】
請求項２９に記載の装置、ここにおいて前記メッセージは、前記第１と第２のノードを識別し、前記装置は、前記第１と第２のノードの前記識別を使用して前記格納されたメトリックを検索するための手段を更に具備している。
【請求項３１】
請求項２８に記載の装置、ここにおいて前記少なくとも１つのパラメータは、前記第１と第２のノードの間のチャネルの利得と、前記第２のノードにおける望ましい信号対雑音比を具備する、およびここにおいて前記メトリックは、前記望ましい信号対雑音比に対する前記チャネルの利得の比を具備する。
【請求項３２】
前記装置と前記第２のノードの間のパス損失と前記メトリックに基づいて項を計算するための手段を更に具備している請求項３１に記載の装置、ここにおいて複数の送信を止めるかどうかを決定するための前記手段は、そのような決定を行うために前記計算された項を使用するように構成される。
【請求項３３】
前記計算された項をしきい値と比較するための手段を更に具備している請求項２１に記載の装置、およびここにおいて複数の送信を止めるかどうかを決定するための前記手段は、そのような決定を行うために、前記計算された項と前記しきい値との間の前記比較を使用するように構成される。
【請求項３４】
下記を具備する、通信のためのコンピュータプログラム製品：
機械可読媒体、前記媒体は下記を行うための装置の処理システムによって実行可能である複数の命令を具備する：
前記装置において受信された少なくとも１つのパラメータに基づいて、第１のノードが第２のノードに送信するための指定された時間期間の間に、複数の送信を止めるかどうかを決定すること、ここにおいて前記少なくとも１つのパラメータは、前記第１と第２のノードの間のチャネルに関連したチャネルパラメータである、および更にここにおいて前記装置は、前記第１または第２のノードではない。
【請求項３５】
下記を具備するアクセス端末：
前記アクセス端末において受信された少なくとも１つのパラメータに基づいて、第１のノードが第２のノードに送信するための指定された時間期間の間に、複数の送信を止めるかどうかを決定するように構成される処理システム、ここにおいて前記少なくとも１つのパラメータは、前記第１と第２のノードの間のチャネルに関連したチャネルパラメータである、および更にここにおいて前記アクセス端末は、前記第１または第２のノードではない；および
前記処理システムによってサポートされるユーザインターフェース。
【請求項３６】
下記を具備するアクセスポイント：
アクセス端末に対するバックホールの接続をサポートするように構成される無線ネットワークのアダプタ；および
前記無線ネットワークのアダプタを制御するように構成される処理システム、前記処理システムは、前記無線ネットワークのアダプタにおいて受信された少なくとも１つのパラメータに基づいて、第１のノードが第２のノードに送信するための指定された時間期間の間に、複数の送信を止めるかどうかを決定するように更に構成されている、ここにおいて前記少なくとも１つのパラメータは、前記第１と第２のノードの間のチャネルに関連したチャネルパラメータである、および更にここにおいて前記アクセスポイントは、前記第１または第２のノードではない。
【手続補正２】
【補正対象書類名】明細書
【補正対象項目名】００３５
【補正方法】変更
【補正の内容】
【００３５】
前の記述は、何れの当業者がここに記述された様々な態様を実施することを可能にするために提供される。これらの態様への様々な変更（modification）は、当業者にとって容易に（readily）明白であることができ、そしてここに定義された一般的な（generic）複数の法則は、他の複数の態様へ応用されることができる。従って、当該特許請求の範囲は、ここに示される複数の態様に制限されるようには意図されず、特許請求の範囲の言語（language claims）の最も広い範囲を与えられることになり、ここにおいて単数形の構成要素を参照することは、具体的に言及されない限り、「１つおよび唯一」ではなく、「１つまたは複数」を意味することを意図するものである。特に明記されない限り、用語「幾つか」は１つまたは複数を指す。当業者に知られているか、または後に知られるようになる、本開示全体を通じて説明される様々な態様の構成要素に対する構造上および機能上の複数の同等物は、参照によってここに明示的に組み込まれ、また特許請求の範囲によって包含されるように意図される。更に、特許請求の範囲において明らかに列挙されるか否かにかかわらず、ここに開示される内容を公共のものとして提供することは意図されない。その構成要素が、「〜のための手段」という言い回しを用いて明らかに列挙されない限り、または方法クレームに関する場合には、その構成要素が、「〜のためのステップ」という言い回しを用いて列挙されない限り、請求項の構成要素は、米国特許法第１１２条第６項の規定するところに従って解釈されるべきではない。
以下に、本願出願の当初の特許請求の範囲に記載された発明を付記する。
［１］下記を具備する無線通信のための装置：
第１と第２のノードの間のチャネルに関連した少なくとも１つのパラメータに基づいて、前記第１のノードが前記第２のノードに送信するための指定された時間期間の間に、複数の送信を止めるかどうかを決定するように構成される処理システム。
［２］［１］に記載の装置、ここにおいて前記少なくとも１つのパラメータは、前記第１と第２のノードの間のチャネルの利得を具備する。
［３］［１］に記載の装置、ここにおいて前記少なくとも１つのパラメータは、前記第２のノードにおける望ましい信号対雑音比を具備する。
［４］［１］に記載の装置、ここにおいて前記処理システムは、前記装置と前記第２のノードの間のパス損失を計算し、そして複数の送信を止めるかどうかを決定することにおいて、前記計算されたパス損失を使用するように更に構成される。
［５］［４］に記載の装置、ここにおいて前記処理システムは、前記第２のノードによって送信される少なくとも１つのパケット中に含まれるプリアンブルに基づいて前記パス損失を計算する。
［６］［１］に記載の装置、ここにおいて前記処理システムは、前記第２のノードからのメトリックに基づいて、複数の送信を止めるかどうかを決定するように更に構成される、前記メトリックは、前記少なくとも１つのパラメータに基づいている。
［７］［６］に記載の装置、ここにおいて前記処理システムは、前記メトリックを格納するように更に構成され、前記処理システムは、前記第１のノードが前記第２のノードに送信するための前記指定された時間期間を示している、前記第２のノードからのメッセージを受信し、そして前記メッセージに応じて、前記格納されたメトリックに基づいて複数の送信を止めるかどうかを決定するように更に構成される。
［８］［７］に記載の装置、ここにおいて前記メッセージは、前記第１と第２のノードを識別し、そしてここにおいて前記プロセッサは、前記格納されたメトリックを検索するために前記第１と第２のノードの前記識別を使用する。
［９］［６］に記載の装置、ここにおいて前記少なくとも１つのパラメータは、前記第１と第２のノードの間のチャネルの利得と、前記第２のノードにおける望ましい信号対雑音比を具備する、およびここにおいて前記メトリックは、前記望ましい信号対雑音比に対する前記チャネルの利得の比を具備する。
［１０］［９］に記載の装置、ここにおいて前記処理システムは、前記装置と前記第２のノードの間のパス損失と前記メトリックに基づいて項を計算し、そして前記計算された項に基づいて複数の送信を止めるかどうかを決定するように更に構成される。
［１１］［１０］に記載の装置、ここにおいて前記処理システムは、前記計算された項をしきい値と比較することによって複数の送信を止めるかどうかを決定するように更に構成される。
［１２］下記を具備する無線通信のための方法：
第１と第２のノードの間のチャネルに関連した少なくとも１つのパラメータに基づいて、前記第１のノードが前記第２のノードに送信するための指定された時間期間の間に、複数の送信を止めるかどうかを決定すること。
［１３］［１２］に記載の方法、ここにおいて前記少なくとも１つのパラメータは、前記第１と第２のノードの間のチャネルの利得を具備する。
［１４］［１２］に記載の方法、ここにおいて前記少なくとも１つのパラメータは、前記第２のノードにおける望ましい信号対雑音比を具備する。
［１５］前記方法と前記第２のノードの間のパス損失を計算すること更に具備している［１２］に記載の方法、ここにおいて複数の送信を止めるかどうかを前記決定することは、前記計算されたパス損失に更に基づく。
［１６］［１５］に記載の方法、ここにおいて前記パス損失は、前記第２のノードによって送信される少なくとも１つのパケット中に含まれたプリアンブルに基づいて計算される。
［１７］前記第２のノードからメトリックを受信することを更に具備している［１２］に記載の方法、前記メトリックは、前記少なくとも１つのパラメータに基づいている、およびここにおいて前記メトリックは、前記メトリックに更に基づいて複数の送信を止めるかどうか決定するために使用される。
［１８］前記メトリックを格納することと、前記第１のノードが前記第２のノードに送信するための前記指定された時間期間を示している、前記第２のノードからのメッセージを受信することを更に具備している［１７］に記載の方法、ここにおいて前記格納されたメトリックは、前記メッセージに応じて複数の送信を止めるかどうかを決定するために使用される。
［１９］［１８］に記載の方法、ここにおいて前記メッセージは、前記第１と第２のノードを識別し、前記方法は、前記第１と第２のノードの前記識別を使用して前記格納されたメトリックを検索すること具備している。
［２０］［１７］に記載の方法、ここにおいて前記少なくとも１つのパラメータは、前記第１と第２のノードの間のチャネルの利得と、前記第２のノードにおける望ましい信号対雑音比を具備する、およびここにおいて前記メトリックは、前記望ましい信号対雑音比に対する前記チャネルの利得の比を具備する。
［２１］前記第２のノードに対するパス損失および前記メトリックに基づいて項を計算することを更に具備している［２０］に記載の方法、ここにおいて前記計算された項は、複数の送信を止めるかどうかを決定するために使用される。
［２２］前記計算された項をしきい値と比較することを更に具備している［２１］に記載の方法、およびここにおいて前記計算された項と前記しきい値との間の前記比較は、複数の送信を止めるかどうかを決定するために使用される。
［２３］下記を具備する無線通信のための装置：
第１のノードが第２のノードに送信するための指定された時間期間を識別するための手段；および
前記第１と第２のノードの間のチャネルに関連した少なくとも１つのパラメータに基づいて、前記時間期間の間に複数の送信を止めるかどうかを決定するための手段。
［２４］［２３］に記載の装置、ここにおいて前記少なくとも１つのパラメータは、前記第１と第２のノードの間のチャネルの利得を具備する。
［２５］［２３］に記載の装置、ここにおいて前記少なくとも１つのパラメータは、前記第２のノードにおける望ましい信号対雑音比を具備する。
［２６］前記装置と前記第２のノードの間のパス損失を計算するための手段を更に具備している［２３］に記載の装置、ここにおいて複数の送信を止めるかどうかを決定するための前記手段は、前記計算されたパス損失に更に基づいてその決定を行うように構成される。
［２７］［２６］に記載の装置、ここにおいてパス損失を計算するための前記手段は、前記第２のノードによって送信される少なくとも１つのパケット中に含まれるプリアンブルに基づいて、そのようなパス損失を計算するように構成される
［２８］前記第２のノードからメトリックを受信するための手段を更に具備している［２３］に記載の装置、前記メトリックは、前記少なくとも１つのパラメータに基づいている、およびここにおいて複数の送信を止めるかどうかを決定するための前記手段は、その決定を行うために前記メトリックを使用するように構成される。
［２９］前記メトリックを格納するための手段と、前記第１のノードが前記第２のノードに送信するための前記指定された時間期間を示している、前記第２のノードからのメッセージを受信するための手段を更に具備している［２８］に記載の装置、ここにおいて複数の送信を止めるかどうかを決定するための前記手段は、前記メッセージに応じて、その決定を行うために、前記格納されたメトリックを使用するように構成される。
［３０］［２９］に記載の装置、ここにおいて前記メッセージは、前記第１と第２のノードを識別し、前記装置は、前記第１と第２のノードの前記識別を使用して前記格納されたメトリックを検索するための手段を更に具備している。
［３１］［２８］に記載の装置、ここにおいて前記少なくとも１つのパラメータは、前記第１と第２のノードの間のチャネルの利得と、前記第２のノードにおける望ましい信号対雑音比を具備する、およびここにおいて前記メトリックは、前記望ましい信号対雑音比に対する前記チャネルの利得の比を具備する。
［３２］前記装置と前記第２のノードの間のパス損失と前記メトリックに基づいて項を計算するための手段を更に具備している［３１］に記載の装置、ここにおいて複数の送信を止めるかどうかを決定するための前記手段は、そのような決定を行うために前記計算された項を使用するように構成される。
［３３］前記計算された項をしきい値と比較するための手段を更に具備している［２１］に記載の装置、およびここにおいて複数の送信を止めるかどうかを決定するための前記手段は、そのような決定を行うために、前記計算された項と前記しきい値との間の前記比較を使用するように構成される。
［３４］下記を具備する、通信のためのコンピュータプログラム製品：
機械可読媒体、前記媒体は下記を行うための処理システムによって実行可能である複数の命令を具備する：
第１と第２のノードの間のチャネルに関連した少なくとも１つのパラメータに基づいて、前記第１のノードが前記第２のノードに送信するための指定された時間期間の間に、複数の送信を止めるかどうかを決定すること。
［３５］下記を具備するアクセス端末：
第１と第２のノードの間のチャネルに関連した少なくとも１つのパラメータに基づいて、前記第１のノードが前記第２のノードに送信するための指定された時間期間の間に、複数の送信を止めるかどうかを決定するように構成される処理システム；および
前記処理システムによってサポートされるユーザインターフェース。
［３６］下記を具備するアクセスポイント：
アクセス端末に対するバックホールの接続をサポートするように構成される無線ネットワークのアダプタ；および
前記無線ネットワークのアダプタを制御するように構成される処理システム、前記処理システムは、第１と第２のノードの間のチャネルに関連した少なくとも１つのパラメータに基づいて、前記第１のノードが前記第２のノードに送信するための指定された時間期間の間に、複数の送信を止めるかどうかを決定するように更に構成されている。
【国際調査報告】
2011521554.tif 000009
2011521554.tif 000010
2011521554.tif 000011